(57)【要約】【課題】  スライダーやカーブのような逃げるように変化するボールでも捕球し易くすることができるミットを提供する。【解決手段】  ミットＭの親指挿入部３とその他の指挿入部４との間に張設されるウエブ１に、親指挿入部３のウエブ側端部とその他の指挿入部４のウエブ側端部の頂点位置を結ぶラインＬよりもこのラインＬの外方側に円弧状に膨出した部分１ａを設けられている。外方側に円弧状に膨出した部分１ａは、それが野球で使用する場合には、その野球に使用するボールの径に対応させて形成され、それがソフトボールで使用する場合は、そのソフトボールに使用するボールの径に対応させて形成されている。【選択図】  図１
0003115002.tif 000002
【実用新案登録請求の範囲】
【請求項１】
野球・ソフトボールで捕手や一塁手がボールを受けるために使用するミットにおいて、ミットの親指挿入部とその他の指挿入部との間に張設されるウエブに、親指挿入部のウエブ側端部とその他の指挿入部のウエブ側端部の頂点位置を結ぶラインよりもこのラインの外方側に円弧状に膨出した部分を設けたことを特徴とするミット。
【請求項２】
前記外方側に円弧状に膨出した部分は、それが野球で使用する場合には、その野球に使用するボールの径に対応させて形成され、それがソフトボールで使用する場合は、そのソフトボールに使用するボールの径に対応させて形成されていることを特徴とする請求項１記載のミット。
【請求項３】
前記ウエブの外方側の円弧状のラインに沿うように紐を通す通し穴がそのラインの中央に少なくとも形成され、この通し穴のうちの中央部分に紐を通して使用することを特徴とする請求項１記載のミット。
【請求項４】
前記円弧状に膨出した部分の近傍に連結用の紐を通す直線状の横方向の挿通穴が形成されていることを特徴とする請求項１記載のミット。
【請求項５】
前記野球の捕手が使用するミットを野球の一塁手用に使用し、又は、前記ソフトボールの捕手が使用するミットをソフトボールの一塁手用に使用することを特徴とする請求項１ないし請求項４記載のミット。
【考案の詳細な説明】
【技術分野】
【０００１】
本考案は、野球やソフトボールで捕手や一塁手がボールを受けるために使用するミットに関するもので、特に、親指挿入部とその他の指挿入部との間に張設されるウエブの改良に関する。
【背景技術】
【０００２】
野球・ソフトボールで捕手や一塁手がボールを受けるために使用するミットは、掌部と連続して親指挿入部とその他の指挿入部が設けられ、親指挿入部とその他の指挿入部との間に張設されるウエブが設けられているものが多い。また、掌部とは、連結用の部分（連結用ウエブ）を設けて、この連結部を介して上記ウエブが取り付けられることもある。このウエブは、グローブにも使用されているが、同じく皮製の紐により交換が可能に使用されることが通常である（特許文献１参照）。
【０００３】
そして、上記ミットのウエブは、例えば図６から図８に示すような形状のもので、親指挿入部３のウエブ側端部とその他の指挿入部４のウエブ側端部の頂点位置を結ぶラインＬとほぼ同じかそのラインＬよりも外方側に出ないように設けられている。なお、グローブにもクロスウエブ（ダブルクロスウエブ）やワンピースウエブ等の種類があるが（特許文献１参照）、特にキャッチャーミットのウエブは、グローブのウエブよりも小型のもので種類も少ない。また、ミットのウエブＷは、その外方側のラインＬａはほぼ直線状に形成されて、革製の紐ｈにより直線的に張設されるようになっている（図７、図８）。これは、外方側に出ていると地面と接触することを考慮したり、紐で左右から張設することから引っ張り易いように直線的な形状になっているものと考えられる。
【特許文献１】実開平６−１７７７７号公報
【考案の開示】
【考案が解決しようとする課題】
【０００４】
ところで、ミットでの基本的なボールの正確な受け方としては、掌部ＰとウエブＷとの間の位置か或いは掌部Ｐが好ましいと言われている（図６で説明すると上記連結部２か或いは掌部Ｐ）。特にキャッチャーミットによる捕球は、グローブの場合よりも内側、つまりウエブ以外の掌部Ｐで捕球することが好ましいとされている。しかしながら、例えばスライダーやカーブのような逃げるように変化するボールを捕球するような場合、上記連結部２や掌部Ｐ等では捕球できず、ウエブＷで捕球せざるを得なくなるが、従来のウエブＷの外方側のラインは直線状に形成されており、つまりボールの径に対応したものとなっていないために、捕球できないことがあった（捕球者の意識以上に変化している場合があり、このためファンブルしたり落球したりすることがあった）。なお、ウエブの連結箇所の紐を緩めると、親指挿入部のウエブ側端部とその他の指挿入部のウエブ側端部の頂点位置を結ぶラインよりも外方側に出すことは可能ではあるが、このように緩めると間延びしてしまい、捕球の確実性が失われたり、地面との接触するような捕球の際の邪魔になる。一方、近年の野球等の指導としては、掌部とウエブとの間の位置でボールを捕球することは、正面で正しく捕球する際には正確な指導であっても、スライダーやカーブのような逃げるように変化するボールを捕球するような場合、片手でその自由度を確保しながら難しいボールを捕球することが球際に強い選手を生むと理解されるようになっている。しかし、特にキャッチャーミットの場合は、グローブのウエブよりも小型のものが使用され、グローブの場合よりも種類も少なく、ただ連結されているように取り付けられていることが多い。
【０００５】
また、従来のミットのウエブは皮製の紐により交換が可能なものであるが、従来のウエブは、その形状にもよるが、交換直後は、屈曲性が良好ではないという問題も有していた。さらに、野球やソフトボールでは、一塁手はファーストミットを準備することが理想であるが、特に草野球等では間に合わないような場合があり、そのような場合に簡易なファーストミットがあることが望まれている。
【０００６】
そこで本考案の目的は、スライダーやカーブのような逃げるように変化するボールでも捕球し易くすることができ、しかもウエブの交換直後でも屈曲性の良好なミットを提供することにある。
【課題を解決するための手段】
【０００７】
上記の課題を解決し、その目的を達成するための手段として、本考案の請求項１記載のミットは、野球・ソフトボールで捕手や一塁手がボールを受けるために使用するミットにおいて、ミットの親指挿入部とその他の指挿入部との間に張設されるウエブに、親指挿入部のウエブ側端部とその他の指挿入部のウエブ側端部の頂点位置を結ぶラインよりもこのラインの外方側に円弧状に膨出した部分を設けたことを特徴とする。
【０００８】
本考案によれば、親指挿入部のウエブ側端部とその他の指挿入部のウエブ側端部の頂点位置を結ぶラインよりもこのラインの外方側に円弧状に膨出した部分を設けたことにより、スライダーやカーブのような逃げるように変化する難しいボールでも捕球し易くなる。すなわち、捕球者の意識以上に変化するボールで、従来はファンブルしたり落球したりするボールであっても、外方側に円弧状に膨出した部分を設けたことにより、捕球の確実性が向上することとなる。
【０００９】
本考案の請求項２記載のミットは、前記外方側に円弧状に膨出した部分は、それが野球で使用する場合には、その野球に使用するボールの径に対応させて形成され、それがソフトボールで使用する場合は、そのソフトボールに使用するボールの径に対応させて形成されていることを特徴とする。
【００１０】
本考案によれば、前記外方側に円弧状に膨出した部分を野球やソフトボールで使用するボールの径に対応させて形成することにより、上記円弧形状の膨出した部分を外方側に最小限度に突出させながらも、スライダーやカーブのような逃げるように変化する難しいボールをその形状に対応させた円弧状に膨出した部分により捕球し易くなる。すなわち、抜けた（捕球できなかった）と思われるようなボールでもぎりぎりに円弧状に膨出した部分に引っかかって捕球することができるようになる。
【００１１】
本考案の請求項３記載のミットは、前記円弧状に膨出した部分の近傍に連結用の紐を通す直線状の横方向の挿通穴が形成されていることを特徴とする。
【００１２】
本考案によれば、前記円弧状に膨出した部分の近傍にウエブに連結用の紐を通す横方向の挿通穴が直線状に形成されていることから、上記例えば試合中に紐が切れたような場合でも容易に素早く交換できるほか、直線状の横方向の挿通穴であることから連結用の紐を介しての引っ張り張力にも優れたものとしながらも、スライダーやカーブのような逃げるように変化する難しいボールをその形状に対応させた円弧状に膨出した部分により捕球することができるようになる。
【００１３】
本考案の請求項４記載のミットは、前記ウエブの円弧状のラインに沿うように紐を通す通し穴が上記ラインの中央に少なくとも形成され、これらの通し穴のうちの中央部分に紐を通して使用することを特徴とする。
【００１４】
本考案によれば、前記ウエブの円弧状のラインに沿うように紐を通す通し穴が設けて形成され、これらの通し穴の中央部分にのみ紐を通して使用することから、ウエブの中央部分から屈曲し易くなるとともに、ウエブの中央部分にも膨らみを持たせることができるようになる。
【考案の効果】
【００１５】
本考案のミットによれば、親指挿入部のウエブ側端部とその他の指挿入部のウエブ側端部の頂点位置を結ぶラインよりもこのラインの外方側に円弧状に膨出した部分を設けたことにより、スライダーやカーブのような逃げるように変化する難しいボールでも捕球し易くなり、捕球の確実性が向上することとなる。すなわち、捕球者が意識としては捕球できないと思われるような捕球が難しいボールでもぎりぎりに円弧状に膨出した部分に引っかかって捕球することができるようになる。
【００１６】
また、本考案のミットによれば、親指挿入部のウエブ側端部とその他の指挿入部のウエブ側端部の頂点位置を結ぶラインよりもこのラインの外方側に円弧状に膨出した部分を設けたことにより、捕手用のミットを簡易な一塁手用のミットとして使用することが可能になる。
【考案を実施するための最良の形態】
【００１７】
以下、本発明の実施の形態について図面を参照しながら説明する。
【００１８】
（第１の実施の形態）
本実施の形態のミットは、図１から図４に示すように、野球の捕手が使用するミットに本発明を適用したものであり、親指挿入部３と、それ以外の人差指と中指と薬指と小指が挿入されるその他指挿入部４と、これらの間に位置して設けられるウエブ１とから構成されている。このウエブ１は、掌部５との連結部２を介して親指挿入部３とその他指挿入部４との間に張設されている。なお、グローブのウエブの種類としては、クロスウエブ、ワンピースウエブ、ショートウエブ等種々のウエブがあるが、捕手用のものとしては、その数は少ない。
【００１９】
ウエブ１は、二枚の皮革を重ね合わせるように構成され、先端の外方側（上方側）に円弧形状の膨出した部分１ａが形成され、二枚の革製の間に連結用の紐が通される挿通穴５ａ，５ｂ，５ｃが横方向に形成されている。本実施の形態の横方向の挿通穴５ａ，５ｂ，５ｃが三本の線のように配置され、そのうちの上方側の挿通穴５ａが円弧形状の膨出した部分１ａに沿うように形成され、紐が２本通されている（一本でも良く本数は問われない）。円弧形状の膨出した部分１ａは、親指挿入部３とその他の指挿入部４の頂点位置を結ぶラインＬよりもこのラインＬの外方側に出て円弧状を描くように形成されている。そして、この外方側に円弧状に膨出した部分１ａは、それが野球で使用する場合には、その野球に使用するボールＢの径に対応させて形成されている。つまり、野球のボールＢの径に沿う形状になっている。ここで、このミットＭがソフトボールで使用する場合は、そのソフトボールに使用するボールＢの形状に対応させて形成する。このように形成すると、上記円弧形状の膨出した部分１ａを外方側に最小限度に突出させながらも、スライダーやカーブのような逃げるように変化する難しいボールでも捕球し易くなり（ボールを一個分又は半個数分捕球できるような湾曲を呈する）、地面との接触するような捕球の際の邪魔になることがない。
【００２０】
また、ウエブ１の外方側の円弧状のラインに沿うように紐ｈを通す通し穴１ｂが所定間隔を設けて形成されている。従来は、このような通し穴１ｂに皮の紐ｈをすべて通して使用されていたが、本実施の形態では、この通し穴１ｂの中央の部分のみをここでは使用している。なお、上記通し穴１ｂの中央の部分のみ挿通させた紐ｈをウエブ１の中央に形成される二つの通し穴１ｃに挿通させて連結させることも可能である。
【００２１】
したがって、本実施の形態のミットＭは、従来のウエブと交換して使用することとなるが、野球で投手が投げるボールＢを捕球する際において、スライダーやカーブのような逃げるように変化する難しいボールでも捕球し易くなる。すなわち、スライダーやカーブのような変化球は、捕球者（捕手）の意識する以上に変化している場合があり、このような場合でも円弧状に膨出した部分１ａが設けられていることから捕球が可能になる。また、前記外方側に円弧状に膨出した部分１ａは、野球に使用するボールＢの径に対応させて形成されていることから（図３参照）、スライダーやカーブのような逃げるように変化する難しいボールをその形状に対応させた円弧状に膨出した部分１ａにより、抜けた（捕球できなかった）と思われるようなボールでもぎりぎりに円弧状に膨出した部分１ａに引っかかって捕球することができるようになる。
【００２２】
ところで、上記ウエブ１の円弧状のラインに沿うように紐ｈを通す通し穴１ｂが所定間隔を設けて多数形成されている。これらすべての通し穴１ｂに紐を通すこともできるが、本実施の形態では、これらの通し穴１ｂの中央部分にのみ紐ｈを通して使用している。このようにすると、ウエブ１の中央部分から屈曲し易くなり、捕球し易くなるが、例えば試合中にウエブ１が損傷し交換する必要が生じたとしても、上記横方向の挿通穴５ａ，５ｂ，５ｃに紐ｈをその限られた数本を結ぶだけで交換し、しかも湾曲性の優れたミットＭとなる。
【００２３】
（第２の実施の形態）
本実施の形態のミットのウエブは、図５に示すように、全体形状が扇形に形成されるととともに、最上部の横紐穴５ａが直線状に設けられている点が第１の実施の形態とは異なる。つまり、このウエブ１１は、上記横方向の挿通穴５ａ，５ｂ，５ｃのうちの上方側の挿通穴５ａは、直線状に横向きに形成されている。したがって、例えば試合中に紐が切れたような場合でも容易に素早く交換できるほか、直線状の挿通穴５ａであることから紐ｈを介しての引っ張り張力に優れたものとなるとともに、湾曲性にも富む構造でもある。なお、本実施の形態のウエブ１１は、全体形状が扇形に形成されることから、ウエブ１１の製造が容易で、丁度親指挿入部３とその他指挿入部４との間に収まる形状になっている。
【００２４】
＜実験例＞
第１の実施の形態のミットＭを製作して実際に投手の投げるスライダーやカーブのような逃げるように変化する難しいボールを捕球する実験を硬式のボールを使用して行った。すなわち、ウエブ１の外方側の所定間隔の通し穴１ｂの中央の部分のみに紐ｈを通したものを使用して行った（図１から図４）。その結果、従来は抜けた（捕球できなかった）と思われるようなボールでもぎりぎりに円弧状に膨出した部分に引っかかって捕球することができるようになった。つまり、約ボール半個分の捕球の確実性が向上したとの実験結果が得られた。また、ショートバウンドの捕球を実験したところ、円弧状に膨出した部分１ａがあるが、上面、つまり上記中央に形成される二つの通し穴１ｃがある面を地面に接触させるのでなんら問題はなく、実験では、従来のミットよりもパスボールが減少した。一方、第１の実施の形態のミットＭをファーストミットとして実験したところ、暴投のようなボールでも捕球できることが多々確認できた。また、一塁手がショートバウンドの捕球を実験したところ、円弧状に膨出した部分１ａがあることから、従来の通常のファーストミットよりも確実にパスボールが減少することが確認できた。
【００２５】
そして、草野球等でファーストミットまで買い揃えることができない場合があるが、本実施の形態の捕手用のミットを一塁手用に使用したり、又は、ソフトボールの捕手が使用するミットをソフトボールの一塁手用に使用したりすることにより、簡易な代用のファーストミットとして使用することが可能になった。
【００２６】
以上、本実施の形態の野球の捕手が使用するミットを例に説明したが、一塁手が使用するファーストミットにも適用可能であり、又、ソフトボールの捕手や一塁手が使用するミットにも本発明を適用可能である。
【図面の簡単な説明】
【００２７】
【図１】本考案の第１の実施の形態のミットを示す正面図である。
【図２】上記実施の形態のミットの使用状態を示す正面図である。
【図３】上記実施の形態のミットを示す背面図である。
【図４】上記実施の形態のミットのウエブを示す図である。
【図５】本考案の第２の実施の形態のミットを示す正面図である。
【図６】従来の捕手用のミットを示す正面図である。
【図７】従来の捕手用のミットを示す背面図である。
【図８】上記従来の捕手用のミットのウエブを示す図である。
【符号の説明】
【００２８】
１，１１            ウエブ、
１ａ                外方側に円弧状に膨出した部分、
２                  連結部、
３                  人差し指挿入部、
４                  その他の指挿入部、
ｈ                  紐、
Ｌ                  親指挿入部のウエブ側端部とその他の指挿入部のウエブ側端部の頂点位置を結ぶライン、
Ｍ                  ミット、
【図１】
0003115002.tif 000003
【図２】
0003115002.tif 000004
【図３】
0003115002.tif 000005
【図４】
0003115002.tif 000006
【図５】
0003115002.tif 000007
【図６】
0003115002.tif 000008
【図７】
0003115002.tif 000009
【図８】
0003115002.tif 000010
【手続補正書】
【提出日】平成17年8月9日(2005.8.9)
【手続補正１】
【補正対象書類名】実用新案登録請求の範囲
【補正対象項目名】全文
【補正方法】変更
【補正の内容】
【実用新案登録請求の範囲】
【請求項１】
野球・ソフトボールで捕手や一塁手がボールを受けるために使用するミットにおいて、ミットの親指挿入部とその他の指挿入部との間に張設されるウエブに、親指挿入部のウエブ側端部とその他の指挿入部のウエブ側端部の頂点位置を結ぶラインよりもこのラインの外方側に円弧状に膨出した部分を設けたことを特徴とするミット。
【請求項２】
前記外方側に円弧状に膨出した部分は、それが野球で使用する場合には、その野球に使用するボールの径に対応させて形成され、それがソフトボールで使用する場合は、そのソフトボールに使用するボールの径に対応させて形成されていることを特徴とする請求項１記載のミット。
【請求項３】
前記ウエブの外方側の円弧状のラインに沿うように紐を通す通し穴がそのラインの中央に少なくとも形成され、この通し穴のうちの中央部分に紐を通して使用することを特徴とする請求項１記載のミット。
【請求項４】
前記円弧状に膨出した部分の近傍に連結用の紐を通す直線状の横方向の挿通穴が形成されていることを特徴とする請求項１記載のミット。